(57)【要約】【課題】携帯性や機動性を損なうことなく、撮影時の姿勢や撮影する被写体の自由度を向上させる。【解決手段】電子カメラ１は、カメラ本体２と、このカメラ本体２の両端部に係止されたリストバンド３とで構成されている。カメラ本体２の本体ケース５にはその上面２７に、表示装置１２が略水平状に設けられているとともに、シャッターボタン２８が設けられている。また、本体ケース５内において、カメラ部１０は腕時計における１２時側に配置され、レンズ１６は本体ケース５の１２時側の側面２９から外部に露出し、撮影中心方向Ｃが斜め下方に向けられている。撮影を行うに際しては、腕時計の時間を確認する場合と同様に左肘を曲げて、表示装置１２を眼下に位置させると、自然に腕が捻れるので、その結果レンズ１６はほぼ前方水平方向を向くこととなる。【選択図】　　　　図２
2004072450.tif 000002
【特許請求の範囲】
【請求項１】
被写体を結像するレンズ及びこのレンズにより結像される画像の画像信号に基づき画像を表示する表示装置を有するカメラ本体と、
このカメラ本体を腕に装着するためのバンドとを備え、
前記表示装置は、前記カメラ本体の上面に略水平に設けられ、
前記レンズは、前記カメラ本体の腕時計における１２時側の側面に斜め下方に向けて設けられていることを特徴とする電子カメラ。
【請求項２】
被写体を結像するレンズ及びこのレンズにより結像される画像の画像信号に基づき画像を表示する表示装置を有するカメラ本体と、
このカメラ本体を腕に装着するためのバンドとを備え、
前記カメラ本体は、前記表示装置が設けられた水平部と、
この水平部の腕時計における１２時方向から斜め下方に延出された延設部とを備え、
この延設部の先端に前記レンズが設けられていることを特徴とする電子カメラ。
【請求項３】
水平部の腕時計における６時方向から斜め下方に延出された他の延設部を更に備え、該他の延設部に前記画像を記録する際に操作されるシャッターボタンが設けられていることを特徴とする請求項２記載の電子カメラ。
【請求項４】
被写体を結像するレンズ及びこのレンズにより結像される画像の画像信号に基づき画像を表示する表示装置を有するカメラ本体と、
このカメラ本体を腕に装着するためのバンドとを備え、
前記表示装置は、前記カメラ本体に起立可能に取り付けられ、
前記レンズは、前記カメラ本体の腕時計における１２時側の側面に設けられていることを特徴とする電子カメラ。
【請求項５】
前記表示装置は、前記カメラ本体の腕時計における６時側に枢支されていることを特徴とする請求項４記載の電子カメラ。
【請求項６】
被写体を結像するレンズ及びこのレンズにより結像される画像の画像信号に基づき画像を表示する表示装置を有するカメラ本体と、
このカメラ本体を腕に装着するためのバンドとを備え、
前記表示装置は、前記カメラ本体の上面に設けられ、
前記カメラ本体には、腕時計における３時又は９時方向に突出する突出部が設けられ、
この突出部の下面に前記レンズが設けられていることを特徴とする電子カメラ。
【請求項７】
前記カメラ本体の上面であって腕時計における６時側に、前記画像を記録する際に操作されるシャッターボタンが設けられていることを特徴とする請求項６記載の電子カメラ。
【請求項８】
被写体を結像するレンズ及びこのレンズにより結像される画像の画像信号に基づき画像を表示する表示装置を有するカメラ本体と、
このカメラ本体を腕に装着するためのバンドとを備え、
前記カメラ本体の端部には、前記レンズにより結像された画像に応じた画像信号を出力する撮像素子が収容され、かつ前記レンズが設けられたケースが回転自在に取り付けられていることを特徴とする電子カメラ。
【請求項９】
前記カメラ本体の端部が腕時計における１２時側の端部であることを特徴とする請求項８記載の電子カメラ。
【請求項１０】
前記カメラ本体の前記１２時側の端部に、該カメラ本体の表面側から裏面側まで貫通状の切欠部が設けられ、前記ケースは前記切欠部の相対向する壁面間に水平回転自在に支持され、前記ケースの周面に前記レンズが配置されていることを特徴とする請求項８又は９記載の電子カメラ。
【発明の詳細な説明】
【０００１】
【発明の属する技術分野】
【０００２】
本発明は、腕に装着して手軽に携帯することのできる電子カメラに関する。
【従来の技術】
【０００３】
今日においては、電子カメラの小型化が急速に図られており、その中には一体的に設けられたバンドにより、手首に装着して携帯可能なリスト型電子カメラも出現するに至っている。このリスト型電子カメラにあっては、カメラ本体の側面部にレンズが配置されているとともに、レンズにより結像された画像を表示するＬＣＤがカメラ本体の上面に配置されている。したがって、ユーザは、リスト型カメラを一方の左手首に装着して、レンズを被写体に向け、ＬＣＤを見ながら右手指でシャッター操作することにより、撮影を行うことができる。
【０００４】
【発明が解決しようとする課題】
【０００５】
このように、リスト型カメラは、手首に装着して携帯しそのまま撮像できることから、携帯性や機動性の面では優れる。しかし、左手首に装着したカメラのレンズは固定的であることから、撮影時に不自然な姿勢を取らざるを得なくなったり、所望の被写体を撮影することが困難となる等、迅速あるいは自由に所望の被写体を撮影することができないという欠点を有する。
【０００６】
本発明は、このような課題に鑑みてなされたものであり、携帯性や機動性を損なうことなく、撮影時の姿勢や撮影する被写体の自由度を向上させることのできる電子カメラを提供することを目的とするものである。
【０００７】
【課題を解決するための手段】
【０００８】
前記課題を解決するために請求項１記載の発明に係る電子カメラにあっては、被写体を結像するレンズ及びこのレンズにより結像される画像の画像信号に基づき画像を表示する表示装置を有するカメラ本体と、このカメラ本体を腕に装着するためのバンドとを備え、前記表示装置は、前記カメラ本体の上面に略水平に設けられ、前記レンズは、前記カメラ本体の腕時計における１２時側の側面に斜め下方に向けて設けられている。
【０００９】
したがって、バンドによってカメラ本体を腕に装着することにより、手軽に携帯することができ携帯性及び機動性は確保される。そして、撮像を行う際には、腕時計の時間を確認する場合と同様に左肘を曲げて、表示装置を眼下に位置させる。このとき、レンズは斜め下方を向いているが、腕時計の時間を確認する姿勢では腕がやや内側に捻れるので、その結果レンズはほぼ前方水平方向を向くこととなる。したがって、腕時計の時間を確認する場合と同様の自然な姿勢で、前方の被写体を表示装置に表示させて撮影を行うことができる。また、肘を曲げた状態において腕を外側に捻ることは容易であることから、腕を外側に捻る容易な姿勢で、前方下方の被写体にレンズを向けて、当該前方下方の被写体を撮影することができる。
【００１０】
また、請求項２記載の発明に係る電子カメラにあっては、被写体を結像するレンズ及びこのレンズにより結像される画像の画像信号に基づき画像を表示する表示装置を有するカメラ本体と、このカメラ本体を腕に装着するためのバンドとを備え、前記カメラ本体は、前記表示装置が設けられた水平部と、この水平部の腕時計における１２時方向から斜め下方に延出された延設部とを備え、この延設部の先端に前記レンズが設けられている。
【００１１】
したがって、バンドによってカメラ本体を腕に装着することにより、手軽に携帯することができ携帯性及び機動性は確保される。そして、撮像を行う際には、腕時計の時間を確認する場合と同様に左肘を曲げて、表示装置を眼下に位置させる。このとき、請求項１記載の発明と同様に、レンズは斜め下方を向いているが、腕時計の時間を確認する姿勢では腕がやや内側に捻れるので、その結果レンズはほぼ前方水平方向を向くこととなる。したがって、腕時計の時間を確認する場合と同様の自然な姿勢で、前方の被写体を表示装置に表示させて撮影を行うことができる。また、腕を外側に捻る容易な姿勢で、前方下方の被写体にレンズを向けて、当該前方下方の被写体を撮影することができる。
【００１２】
また、請求項３記載の発明に係る電子カメラにあっては、水平部の腕時計における６時方向から斜め下方に延出された他の延設部を更に備え、該他の延設部に前記画像を記録する際に操作されるシャッターボタンが設けられている。したがって、シャッターボタンを操作する指の手が、１２時方向から斜め下方に延出された延設部に設けられているレンズの画角内に入る不都合を、未然に防止することができる。
【００１３】
また、請求項４記載の発明に係る電子カメラにあっては、被写体を結像するレンズ及びこのレンズにより結像される画像の画像信号に基づき画像を表示する表示装置を有するカメラ本体と、このカメラ本体を腕に装着するためのバンドとを備え、前記表示装置は、前記カメラ本体に起立可能に取り付けられ、前記レンズは、前記カメラ本体の腕時計における１２時側の側面に設けられている。
【００１４】
したがって、バンドによってカメラ本体を腕に装着することにより、手軽に携帯することができ携帯性及び機動性は確保される。そして、撮像を行う際には、腕時計の時間を確認する場合と同様に左肘を曲げて、表示装置を眼下に位置させる。次に、表示装置を任意の角度に起立させることにより、表示装置に表示される被写体の画像を自由度のある姿勢で見ながら撮影を行うことができる。
【００１５】
また、請求項５記載の発明に係る電子カメラにあっては、前記表示装置は、前記カメラ本体の腕時計における６時側に枢支されている。したがって、腕時計の時間を確認する場合と同様に左肘を曲げて、表示装置を眼下に位置させると、表示装置は６時側が枢支されているので、起立に伴って表示面が視線と直交する角度となり、自然な姿勢で、表示装置に表示されている前方の被写体を見ることができる。
【００１６】
また、請求項６記載の発明に係る電子カメラにあっては、被写体を結像するレンズ及びこのレンズにより結像される画像の画像信号に基づき画像を表示する表示装置を有するカメラ本体と、このカメラ本体を腕に装着するためのバンドとを備え、前記表示装置は、前記カメラ本体の上面に設けられ、前記カメラ本体には、腕時計における３時又は９時方向に突出する突出部が設けられ、この突出部の下面に前記レンズが設けられている。
【００１７】
したがって、バンドによってカメラ本体を腕に装着することにより、手軽に携帯することができ携帯性及び機動性は確保される。そして、撮像を行う際には、この電子カメラを腕から取り外し、カメラ本体をユーザの目の前方に翳すと、ユーザの目の前方には、被写体の画像が表示されている表示装置が位置する。また、この表示装置は、ユーザ前方の画像が表示されることとなる。したがって、一般的なカメラを使用する場合と同様な自由度で、前方の被写体を表示装置に表示させて撮影を行うことができる。
【００１８】
また、請求項７記載の発明に係る電子カメラにあっては、前記カメラ本体の上面であって腕時計における６時側に、前記画像を記録する際に操作されるシャッターボタンが設けられている。したがって、シャッターボタンを操作する際に指が、３時又は９時方向に突出する突出部に設けられた表示装置とユーザの視点との間に介在することはなく、指により妨げられることなく、表示装置に表示されている画像を継続して見ることができる。
【００１９】
また、請求項８記載の発明に係る電子カメラにあっては、被写体を結像するレンズ及びこのレンズにより結像される画像の画像信号に基づき画像を表示する表示装置を有するカメラ本体と、このカメラ本体を腕に装着するためのバンドとを備え、前記カメラ本体の端部には、前記レンズにより結像された画像に応じた画像信号を出力する撮像素子が収容され、かつ前記レンズが設けられたケースが回転自在に取り付けられている。
【００２０】
したがって、バンドによってカメラ本体を腕に装着することにより、手軽に携帯することができ携帯性及び機動性は確保される。そして、撮像を行う際には、、ケースを任意の角度に回転させることにより、レンズを任意の方向に向けて、各方向の被写体を自由に撮影することができる。
【００２１】
また、請求項９記載の発明に係る電子カメラにあっては、前記カメラ本体の端部が腕時計における１２時側の端部である。撮像を行う際には、腕時計の時間を確認する場合と同様に左肘を曲げて、表示装置を眼下に位置させ、ケースを任意の角度に回転させる。これにより、レンズを任意の方向に向けて、各方向の被写体を自由に撮影することができる。
【００２２】
また、請求項１０記載の発明に係る電子カメラにあっては、前記カメラ本体の前記１２時側の端部に、該カメラ本体の表面側から裏面側まで貫通状の切欠部が設けられ、前記ケースは前記切欠部の相対向する壁面間に水平回転自在に支持され、前記ケースの周面に前記レンズが配置されている。したがって、この電子カメラを腕から取り外し、レンズを下面側に向けた状態で、表示装置をユーザの目の前方に翳すと、ユーザの目の前方には、被写体の画像が表示されている表示装置が位置する。したがって、一般的なカメラを使用する場合と同様な自由度で、前方の被写体を表示装置に表示させて撮影を行うことができる。
【００２３】
【発明の実施の形態】
【００２４】
以下、本発明の実施の形態を図に従って説明する。
【００２５】
（第１の実施の形態）
図１に示すように、第１の実施の形態に係る電子カメラ１は、カメラ本体２と、このカメラ本体２の両端部に係止されたリストバンド３とで構成され、リストバンド３の端部には、バックル４が係止されている。リストバンド３は、カメラ本体２の腕時計における１２時側と６時側とに係着されている。なお、図２以降においては、バックル４を省略して図示する。
【００２６】
カメラ本体２は本体ケース５を有し、この本体ケース５の内部には、制御部６及びこの制御部６に接続された操作部７、時計部８、電池部９、カメラ部１０、無線リンク・送受信部１１、ＬＣＤ等からなる表示装置１２、個人ＩＤ等が記憶されたメモリ１３、ＲＡＭ１４、及びＲＯＭ１５が設けられている。カメラ部１０は、後述するように配置されたレンズ１６、このレンズ１６の光軸上に配置されたイメージセンサ１７、このイメージセンサ１７に順次接続されたアンプ／ＡＤＣ１８、画像信号処理部１９、画像データメモリ２０を備え、画像信号処理部１９と画像データメモリ２０とが制御部６に接続されている。アンプ／ＡＤＣ１８は、イメージセンサ１７から出力された撮像信号を保持するＣＤＳ、その撮像信号を増幅するゲイン調整アンプ（ＡＧＣ）、増幅後の撮像信号をデジタル信号に変換するＡ／Ｄ変換器（ＡＤ）からなるユニット回路からなる。
【００２７】
画像信号処理部１９は、各種の信号処理、及び画像処理機能を備えたものであり、アンプ／ＡＤＣ１８を経てデジタル信号に変換された撮像信号からビデオ信号を生成し、イメージセンサ１７によって撮像した被写体像をスルー画像として制御部６に送り、制御部６は表示装置１２にスルー画像を表示させる。また、撮像時には、撮像信号を圧縮して所定のフォーマットの画像ファイルを生成し、それをフラッシュメモリ等からなる画像データメモリ２０に記憶させ、再生時には圧縮した画像ファイルを伸張して表示装置１２に表示させる。
【００２８】
無線リンク・送受信部１１は、Ｂｌｕｅｔｏｏｔｈ方式を採用するものであって、無線デバイスＩＤ記憶部２１、無線リンク制御部２２、情報変復調部２３、拡散変復調部２４、送受信部２５及びアンテナ２６を備えており、無線リンク制御部２２は前記制御部６に接続されている。無線デバイスＩＤ記憶部２１には、Ｂｌｕｅｔｏｏｔｈ通信相手となる携帯電話端末５０のＩＤが記憶されており、無線リンク制御部２２は、無線リンク・送受信部１１の各部を制御するものである。情報変復調部２３は送受信する情報を変復調し、拡散変復調部２４は送受信する情報を拡散変復調する。送受信部２５は、アンテナ２６により受信される情報及びアンテナ２６から送信する情報を送受信処理する。
【００２９】
また、カメラ本体２とＢｌｕｅｔｏｏｔｈにより近接無線接続される携帯電話端末５０も、無線リンク・送受信部５１を備えているとともに、携帯電話・送受信部５２を備えている。無線リンク・送受信部５１は、前記カメラ本体２側と同様に、Ｂｌｕｅｔｏｏｔｈ方式を採用するものであって、無線デバイスＩＤ記憶部５３、無線リンク制御部５４、情報変復調部５５、拡散変復調部５６、送受信部５７及びアンテナ５８を備えており、無線デバイスＩＤ記憶部５３には、Ｂｌｕｅｔｏｏｔｈ通信相手となるカメラ本体２のＩＤが記憶されている。
【００３０】
携帯電話・送受信部５２は、一般的な携帯電話端末と同様の回路構成であって、スピーカ５９、マイク６０、音声／データ処理部６１、通信制御部６２、受送信部６３及びアンテナ６４を備え、通信制御部６２は、前記無線リンク制御部５４に接続されている。したがって、この携帯電話端末５０は、無線基地局７０、移動体通信網７５、及び無線基地局７６を介して、カメラ又は表示画面付携帯電話端末７１や、他の携帯電話端末７２、あるいは画像表示機能付情報端末７３に接続可能であるとともに、インターネット７４を介してＰＣ７７等に接続可能である。
【００３１】
図２に示すように、前記本体ケース５にはその上面２７に、前記表示装置１２が略水平状に設けられているとともに、前記操作部７のシャッターボタン２８が設けられている。また、本体ケース５内において、前記カメラ部１０は腕時計における１２時側に配置され、前記レンズ１６は本体ケース５の１２時側の側面２９から外部に露出している。また、レンズ１６は、撮影中心方向Ｃが斜め下方に向けられており、画角αは約４０度である。
【００３２】
以上の構成に係る本実施の形態において、ユーザはリストバンド３を左手首に巻き付けて、電子カメラ１を携帯する。このとき、時計モードが設定されていると、表示装置１２には、時計部８により計時されている現在時刻が表示されている。
【００３３】
そして、撮影を行うに際しては、腕時計の時間を確認する場合と同様に左肘を曲げて、表示装置１２を眼下に位置させる。そして、所定の操作により撮像モードを設定すると、カメラ部１０が起動して、時計モードから撮像モードに切り替わる。その結果、表示装置１２には、レンズ１６によりイメージセンサ１７上に結像された被写体の画像が表示される。このとき、レンズ１６は斜め下方を向いているが、腕時計の時間を確認する姿勢では腕がやや内側に捻れるので、その結果レンズ１６はほぼ前方水平方向を向くこととなる。したがって、腕時計の時間を確認する場合と同様の自然な姿勢で、前方の被写体を表示装置１２に表示させることができる。
【００３４】
次に、表示装置１２に所望の被写体画像が表示された時点で、シャッターボタン２８を操作する。すると、画像信号処理部１９は、アンプ／ＡＤＣ１８を経てデジタル信号に変換された撮像信号を圧縮して所定のフォーマットの画像ファイルを生成し、それを画像データメモリ２０に記憶させる。これにより、撮像が終了することとなる。したがって、腕時計の時間を確認する場合と同様の自然な姿勢で、前方の被写体を撮影することができる。また、肘を曲げた状態において腕を外側に捻ることは容易であり、よって、腕を外側に捻る容易な姿勢で、前方下方の被写体にレンズ１６を向けて、前方下方の被写体を撮影することができる。
【００３５】
（第２の実施の形態）
図３は、本発明の第２の実施の形態を示すものである。本体ケース５には、水平部３０が設けられ、水平部３０の一端部には、腕時計における６時側から斜め下方に延出された第１延設部３１が設けられている。また、水平部３０の他端部には、腕時計における１２時側から斜め下方に延出された第２延設部３２が設けられている。水平部３０上には表示装置１２が配置され、第１延設部３１上にはシャッターボタン２８が配置されている。また、第２延設部３２内にはカメラ部１０が配置され、前記レンズ１６は第２延設部３２の１２時側の側面２９から外部に露出している。よって、レンズ１６は、撮影中心方向Ｃが第２延設部３２に沿って斜め下方に向けられており、画角αは約４０度である。
なお、本実施の形態及び後述する各実施の形態において、カメラ本体２内の回路構成は、図１に示した第１の実施の形態と同一である。
【００３６】
以上の構成に係る本実施の形態において、第１の実施の形態と同様に、ユーザはリストバンド３を左手首に巻き付けて、電子カメラ１を携帯する。このとき、時計モードが設定されていると、表示装置１２には、時計部８により計時されている現在時刻が表示されている。
【００３７】
そして、撮影を行うに際しては、腕時計の時間を確認する場合と同様に左肘を曲げて、表示装置１２を眼下に位置させる。そして、所定の操作により撮像モードを設定すると、カメラ部１０が起動して、時計モードから撮像モードに切り替わる。その結果、表示装置１２には、レンズ１６によりイメージセンサ１７上に結像された被写体の画像が表示される。このとき、第１の実施の形態と同様に、レンズ１６は斜め下方を向いているが、表示装置１２を眼下に位置させた状態では自然に腕が捻れるので、その結果レンズ１６はほぼ前方水平方向を向くこととなる。したがって、腕時計の時間を確認する場合と同様の自然な姿勢で、前方の被写体を表示装置１２に表示させることができる。
【００３８】
次に、表示装置１２に所望の被写体画像が表示された時点で、シャッターボタン２８を操作する。このとき、シャッターボタン２８は６時方向から斜め下方に延出された第１延設部３１が設けられているので、シャッターボタン２８を操作する指の手がレンズ１６の画角内に入る不都合を未然かつ確実に防止することができる。
そして、シャッターボタン２８が操作されると、画像信号処理部１９は、アンプ／ＡＤＣ１８を経てデジタル信号に変換された撮像信号を圧縮して所定のフォーマットの画像ファイルを生成し、それを画像データメモリ２０に記憶させる。これにより、撮像が終了することとなる。よって、腕時計の時間を確認する場合と同様の自然な姿勢で、前方の被写体を撮影することができる。また、肘を曲げた状態において腕を外側に捻ることは容易であり、よって、腕を外側に捻る容易な姿勢で、前方下方の被写体にレンズ１６を向けて、当該前方下方の被写体を撮影することができる。
【００３９】
（第３の実施の形態）
図４は、本発明の第３の実施の形態を示すものである。本体ケース５には、表示装置１２を収容可能な凹部３３が設けられている。この凹部３３内の腕時計における６時側には、ピン４４により表示装置１２が起立可能に枢支されている。また、本体ケース５にはその上面２７に、シャッターボタン２８が設けられている。さらに本体ケース５内において、前記カメラ部１０は腕時計における１２時側に配置され、前記レンズ１６は本体ケース５の１２時側の側面２９から外部に露出している。また、レンズ１６は、撮影中心方向Ｃが略水平方向に向けられており、画角αは約４０度である。
【００４０】
以上の構成に係る本実施の形態において、ユーザはリストバンド３を左手首に巻き付けて、電子カメラ１を携帯する。このとき、表示装置１２は、略平状態で凹部３３内に収容されて、時計部８により計時されている現在時刻を表示している。
【００４１】
そして、撮影を行うに際しては、腕時計の時間を確認する場合と同様に左肘を曲げて、表示装置１２を眼下に位置させる。そして、図示のように表示装置１２を任意の角度に起立させて、所定の操作により撮像モードを設定すると、カメラ部１０が起動して、時計モードから撮像モードに切り替わる。その結果、表示装置１２には、レンズ１６によりイメージセンサ１７上に結像された被写体の画像が表示される。このとき、表示装置１２は６時側が枢支されているので、起立に伴って表示面が視線と直交する角度となる。したがって、自然な姿勢で、表示装置１２に表示されている前方の被写体を見ることができる。
【００４２】
次に、表示装置１２に所望の被写体画像が表示された時点で、シャッターボタン２８を操作すると、前述と同様にして、画像信号処理部１９は、アンプ／ＡＤＣ１８を経てデジタル信号に変換された撮像信号を圧縮して所定のフォーマットの画像ファイルを生成し、それを画像データメモリ２０に記憶させる。そして、撮影が終了した時点で、表示装置１２を倒せば、表示装置１２は再び略水平状態で凹部３３内に収容される。
【００４３】
（第３の実施の形態の変形例）
図５は、第３の実施の形態の変形例を示すものである。この変形例においても、本体ケース５には、表示装置１２を収容可能な凹部３３が設けられ、この凹部３３内の腕時計における６時側に、ピン４４（図４参照）により表示装置１２が起立可能に枢支されているとともに、本体ケース５にはその上面２７に、シャッターボタン２８が設けられている。しかし、本体ケース５の側部にカメラ部１０が接続して設けられ、レンズ１６はカメラ部１０の腕時計における１２時側の側面２９から外部に露出している。なお、レンズ１６は、撮影中心方向Ｃが略水平方向に向けられており、画角αは約４０度である。
【００４４】
したがって、この変形例においても表示装置１２は６時側が枢支されているので、起立に伴って表示面が視線と直交する角度となる。したがって、自然な姿勢で、表示装置１２に表示されている前方の被写体を見て撮影を行うことができる。
【００４５】
（第４の実施の形態）
図６（ａ）は、本発明の第４の実施の形態を示すものである。本体ケース５には、腕時計における３時方向に突出する突出部３４が設けられている。また、本体ケース５の上面２７には、前記表示装置１２が略水平状に設けられているとともに、前記操作部７のシャッターボタン２８が設けられている。シャッターボタン２８は、腕時計における６時側に配置されている。前記突出部３４内には、前記カメラ部１０が内蔵されており、前記レンズ１６は突出部３４の下面から外部に露出している。
【００４６】
以上の構成に係る本実施の形態において、ユーザは図６（ａ）に示すように、リストバンド３を左手首ＬＷに巻き付けて、電子カメラ１を携帯する。このとき、時計モードが設定されていると、表示装置１２には、時計部８により計時されている現在時刻が表示されている。
【００４７】
そして、撮影を行うに際しては、同図（ｂ）に示すように、電子カメラ１を左手首ＬＷから取り外し、撮像モードを設定すると、カメラ部１０が起動して、時計モードから撮像モードに切り替わる。その結果、表示装置１２には、レンズ１６によりイメージセンサ１７上に結像された被写体の画像が表示される。したがって、この状態でリストバンド３を持ち、カメラ本体２をユーザの目の前方に翳すと、ユーザの目の前方には、スルー画像が表示されている表示装置１２が位置する。また、この表示装置１２は、ユーザ前方の画像が表示されることとなる。
【００４８】
次に、表示装置１２に所望の被写体画像が表示された時点で、シャッターボタン２８を指Ｆで押圧する。このとき、シャッターボタン２８は前記６時側に配置されているので、シャッターボタン２８を操作する際に指Ｆが表示装置１２とユーザの視点との間に介在することはなく、指Ｆにより妨げられることなく、表示装置１２に表示されている画像を継続して見ることができる。そして、シャッターボタン２８が操作されると、画像信号処理部１９は、アンプ／ＡＤＣ１８を経てデジタル信号に変換された撮像信号を圧縮して所定のフォーマットの画像ファイルを生成し、それを画像データメモリ２０に記憶させる。これにより、撮像が終了することとなる。
【００４９】
なお、この実施の形態においては、突出部３４を腕時計における３時方向に突出させるようにしたが、９時方向に突出させるようにしてもよい。
【００５０】
（第５の実施の形態）
図７（ａ）は、本発明の第５の実施の形態に係る電子カメラ１の上面図、同図（ｂ）は下面図である。本体ケース５には、腕時計における１２時側の端部に切欠部３５が設けられている。切欠部３５は、上面２７側から下面３７側に貫通した略コ字状であって、相対向する壁面３６、３６を有している。また、本体ケース５の上面２７には、前記表示装置１２が略水平状に設けられているとともに、前記操作部７のシャッターボタン２８及びその他のキー３８が配置され、側面にもその他のキー３８が配置されている。
【００５１】
前記切欠部３５には、ケース３９が回転自在に配置されている。このケース３９は、図８に示すように中空状であって、大径部４０とこの大径部４０の両端中央部に突設された小径部４１、４１と有している。そして、ケース３９はこの小径部４１、４１を切欠部３５の相対向する壁面３６、３６に貫通させることにより、切欠部３５内に回転自在に支持されている。
【００５２】
大径部４０の周面部４２には、前記レンズ１６が外部に露出するように配置され、大径部４０の内部には、図１に示したイメージセンサ１７（撮像素子）を含むカメラ部１０が配置されている。カメラ部１０には、信号線４３の一端が接続され、この信号線４３は一方の小径部４１内に挿通されて、表示装置１２及び制御部６に接続されている。
【００５３】
以上の構成に係る本実施の形態において、ユーザはリストバンド３を左手首に巻き付けて、電子カメラ１を携帯する。このとき、図７（ｂ）に示したように、レンズ１６を下面３７側に向けておけば、レンズ１６にキズが不都合を未然に防止することができる。
【００５４】
そして、電子カメラ１を腕から取り外して撮影を行う場合には、図７（ｂ）に示したように、レンズ１６を下面３７側に向けた状態で、表示装置１２をユーザの目の前方に翳すと、ユーザの目の前方には、スルー画像が表示されている表示装置１２が位置する。また、この表示装置１２は、ユーザ前方の画像が表示されることとなる。次に、表示装置１２に所望の被写体画像が表示された時点で、シャッターボタン２８を指で押圧すると、前述のようにして、画像ファイルが画像データメモリ２０に記憶される。
【００５５】
また、電子カメラ１を腕に装着したまま前方の被写体を撮影する場合には、図９（ａ）に示すように、ケース３９を回転させて、レンズ１６を腕時計における１２時方向に向け、腕時計の時間を確認する場合と同様に左肘を曲げて、表示装置１２を眼下に位置させる。これにより、ユーザの目の下方には、スルー画像が表示されている表示装置１２が位置し、この表示装置１２は、ユーザ前方の画像が表示されることとなる。
【００５６】
また、電子カメラ１を腕に装着したまま、ユーザ自身の顔等、上方の被写体を撮影する場合には、図９（ｂ）に示すように、ケース３９を回転させて、レンズ１６を上方に向け、腕時計の時間を確認する場合と同様に左肘を曲げて、表示装置１２を眼下に位置させる。これにより、ユーザの目の下方には、スルー画像が表示されている表示装置１２が位置し、この表示装置１２は、ユーザ自身の顔等、上方の画像が表示されることとなる。
そして、表示装置１２に所望の被写体画像が表示された時点で、シャッターボタン２８を指で押圧すると、前述のようにして、画像ファイルが画像データメモリ２０に記憶される。
【００５７】
なお、本実施の形態においては、切欠部３５及びケース３９を本体ケース５の腕時計における１２時側に設けるようにしたが、３時側、６時側、９時側等であってもよい。
【００５８】
【発明の効果】
【００５９】
以上説明したように請求項１及び請求項２に係る発明によれば、バンドによってカメラ本体を腕に装着することにより、手軽に携帯することができ携帯性及び機動性を確保することができる。また、撮像を行う際には、腕時計の時間を確認する場合と同様に左肘を曲げて表示装置を眼下に位置させると、腕時計の時間を確認する姿勢では腕がやや内側に捻れるので、その結果レンズはほぼ前方水平方向を向く。したがって、撮像を行う際の姿勢上の制約及び撮像角度調整上の制約を伴うことなく、腕時計の時間を確認する場合と同様の自然な姿勢で、前方の被写体を撮影することができる。また、肘を曲げた状態において腕を外側に捻ることは容易であることから、腕を外側に捻る容易な姿勢で、前方下方の被写体にレンズを向けて、当該前方下方の被写体を撮影することができる。
【００６０】
また、請求項４記載に係る発明によれば、携帯性及び機動性を確保できるのみならず、撮像を行う際には、腕時計の時間を確認する場合と同様に左肘を曲げて、表示装置を眼下に位置させ、表示装置を任意の角度に起立させることにより、表示装置に表示される被写体の画像を自由度のある姿勢で見ながら撮影を行うことができる。
【００６１】
また、請求項６に係る発明によれば、携帯性及び機動性を確保できるのみならず、撮像を行う際には、この電子カメラを腕から取り外し、カメラ本体をユーザの目の前方に翳すことにより、ユーザの目の前方には、被写体の画像が表示されている表示装置が位置することから、一般的なカメラを使用する場合と同様な自由度で、前方の被写体を表示装置に表示させて撮影を行うことができる。
【００６２】
また、請求項８に係る発明によれば、携帯性及び機動性を確保できるのみならず、レンズが設けられたケースを任意の角度に回転させることにより、レンズを任意の方向に向けて、各方向の被写体を自由に撮影することができ、撮像を行う際の姿勢上の制約及び撮像角度調整上の制約を伴うことなく、撮像を行うことができる。
【図面の簡単な説明】
【図１】本発明の第１の実施に係る電子カメラのブロック構成図、及び同で心カメラを用いたシステムの構成図である。
【図２】同実施の形態に係る電子カメラの模式断面図である。
【図３】本発明の第２の実施の形態に係る電子カメラの模式断面図である。
【図４】本発明の第３の実施の形態に係る電子カメラの模式断面図である。
【図５】（ａ）は本発明の第３の実施の形態の変形例に係る電子カメラの模式断面図、（ｂ）は平面図である。
【図６】（ａ）は本発明の第４の実施の形態に係る電子カメラのうでに装着した状態における平面図、（ｂ）は撮影時の状態を示す図である。
【図７】（ａ）は本発明の第５の実施の形態の変形例に係る電子カメラの上面図、（ｂ）は下面図である。
【図８】ケースの断面図である。
【図９】（ａ）は同実施の形態の前方撮影時の状態示す上面図、（ｂ）は上方撮影時の状態示す上面図である。
【符号の説明】
１　　電子カメラ
２　　カメラ本体
３　　リストバンド
５　　本体ケース
６　　制御部
７　　操作部
８　　時計部
１０　　カメラ部
１２　　表示装置
１６　　レンズ
１７　　イメージセンサ
２７　　上面
２８　　シャッターボタン
２９　　１２時側の側面
３０　　水平部
３１　　第１延設部
３２　　第２延設部
３３　　凹部
３４　　突出部
３５　　切欠部
３６　　壁面
３７　　下面
３９　　ケース
４０　　大径部
４１　　小径部
４２　　周面部
４３　　信号線
【図１】
2004072450.tif 000003
【図２】
2004072450.tif 000004
【図３】
2004072450.tif 000005
【図４】
2004072450.tif 000006
【図５】
2004072450.tif 000007
【図６】
2004072450.tif 000008
【図７】
2004072450.tif 000009
【図８】
2004072450.tif 000010
【図９】
2004072450.tif 000011